(57)【要約】【課題】高い水密性を確保できるとともに、着脱が容易で安価なシート式浸水防止装置を提供する。【解決手段】シート式浸水防止装置１０は、建造物の出入り口１２に設けられる取付部６２と、取付部６２に保持される磁石７４と、磁石７４に吸引される磁性体８８ａ〜８８ｃと、出入り口１２を閉塞する防水シート６６と、を備え、磁石７４は、戸当金物６８により表面が被覆されて保持され、磁性体８８ａ〜８８ｃは、防水シート６６を介して磁石７４に着脱可能である。【選択図】図２
2016205031.tif 000002
【特許請求の範囲】
【請求項１】
建造物の出入り口に設けられる取付部と、
前記取付部に保持される磁石と、
前記磁石に吸引される磁性体と、
前記出入り口を閉塞する防水シートと、
を備え、
前記磁石は、前記取付部の戸当金物により表面が被覆され、
前記磁性体は、前記防水シートを介して前記磁石に着脱可能であることを特徴とするシート式浸水防止装置。
【請求項２】
請求項１記載のシート式浸水防止装置において、
前記磁性体は、ヒンジを介して前記取付部に連結されることを特徴とするシート式浸水防止装置。
【請求項３】
請求項１記載のシート式浸水防止装置において、
前記磁性体は、前記取付部及び前記防水シートから分離別体であることを特徴とするシート式浸水防止装置。
【請求項４】
請求項１記載のシート式浸水防止装置において、
前記磁性体は、前記防水シートの周縁部に設けられることを特徴とするシート式浸水防止装置。
【発明の詳細な説明】
【技術分野】
【０００１】
本発明は、建造物の出入り口を閉塞するためのシート式浸水防止装置に関する。
【背景技術】
【０００２】
例えば、集中豪雨等により大量の水が発生した場合、家屋、ビル、地下駐車場、地下鉄等の出入り口を介して、水が建造物内に浸入するおそれがある。そこで、建造物内への水の浸入を防止するため、これらの出入り口に浸水防止パネルや開閉扉が設置される。
【０００３】
しかしながら、浸水防止パネルは、相当な重量があるため、作業者が一人で浸水防止パネルを設置することは難しい。また、浸水防止パネルは、大きなスペースを占有するため、使用しない場合における収納場所が問題となる。さらに、浸水防止パネルには、建造物に対する戸当たりの平面度に高い精度が要求される。精度が悪いと、浸水防止パネルの水密性が低下し、水漏れが発生するおそれがある。一方、開閉扉は、大きなスペースを占有するだけでなく高価であるため、一般家庭や小規模な建造物には不向きである。
【０００４】
特許文献１には、出入り口の通路下に形成された収納部に防水シートが収納される浸水防止装置が開示されている。防水シートは、非常時において収納部から引き上げられる。次いで、防水シートは、両側部が出入り口の戸当たりに仮止めされた後、締付金具により固定される。
【０００５】
特許文献２には、構造物の開口部を開閉するシャッタに装着される防水シートの保持機構が開示されている。特許文献２には、防水シートは、磁石を用いて建造物に保持させてもよいことが記載されている。
【０００６】
特許文献３には、防水シートの下端部が係留フックにより床面に固定され、防水シートの上端両側部が係留リングによりシート支持具に係合される浸水防御装置が開示されている。特許文献３には、防水シートは、磁石を用いて下端部を係留金具に吸着させ、水の浸入を遮断する構造としてもよいことが記載されている。
【先行技術文献】
【特許文献】
【０００７】
【特許文献１】特開２０１１−６９０９１号公報
【特許文献２】特開２０１４−３７７１７号公報
【特許文献３】特開２００８−８８７９１号公報
【発明の概要】
【発明が解決しようとする課題】
【０００８】
特許文献１の浸水防止装置は、締付金具に高い水密性が要求されるため、構造が複雑で高価である。また、防水シートは、出入り口に仮止めされた後、締付金具により固定されるため、着脱作業に時間が掛かるおそれがある。
【０００９】
特許文献２の保持機構、又は、特許文献３の浸水防御装置は、防水シートを保持するために磁石を用いることを開示している。この場合、例えば、フェライト磁石に代表される磁石は、強磁性体の金属を焼結して形成されているため、脆く、且つ、表面に多数の凹凸を有している。従って、磁石は、欠損し易く、また、表面に凹凸があるために水密性が悪いという欠点がある。
【００１０】
本発明は、前記の課題を解消するためになされたものであって、高い水密性を確保できるとともに、着脱が容易で安価なシート式浸水防止装置を提供することを目的とする。
【課題を解決するための手段】
【００１１】
本発明に係るシート式浸水防止装置は、建造物の出入り口に設けられる取付部と、前記取付部に保持される磁石と、前記磁石に吸引される磁性体と、前記出入り口を閉塞する防水シートと、を備え、前記磁石は、前記取付部の戸当金物により表面が被覆されて保持され、前記磁性体は、前記防水シートを介して前記磁石に着脱可能であることを特徴とする。
【００１２】
前記シート式浸水防止装置において、前記磁性体は、ヒンジを介して前記取付部に連結されることを特徴とする。
【００１３】
前記シート式浸水防止装置において、前記磁性体は、前記取付部及び前記防水シートから分離別体であることを特徴とする。
【００１４】
前記シート式浸水防止装置において、前記磁性体は、前記防水シートの周縁部に設けられることを特徴とする。
【発明の効果】
【００１５】
本発明のシート式浸水防止装置では、防水シートは、磁性体が磁石に吸引されることで、取付部に容易且つ短時間で装着できる。また、防水シートは、磁性体を磁石から離間させるだけで、取付部から容易に取り外せる。
【００１６】
また、磁石は、取付部の戸当金物により表面が被覆されているため、錆や欠損のおそれがなく、交換等のメンテナンスが不要である。また、磁石は、戸当金物により保持されるため、取付部に容易に固定できる。
【００１７】
また、磁性体は、ヒンジを介して取付部に連結されることにより、防水シートの保持、及び、防水シートの取り外しが簡便に行える。
【００１８】
また、磁性体は、取付部及び防水シートから分離別体とすることにより、ヒンジを省略し、シート式浸水防止装置の構成が簡単になる。
【００１９】
また、磁性体は、防水シートの周縁部に設けられることにより、防水シートの周縁部の強度が確保される。
【図面の簡単な説明】
【００２０】
【図１】本実施形態に係るシート式浸水防止装置において、防水シートが装着された状態の斜視図である。
【図２】本実施形態に係るシート式浸水防止装置において、防水シートが装着されていない状態の斜視図である。
【図３】本実施形態に係る防水シートの斜視図である。
【図４】図４Ａは、本実施形態に係る防水シートが側壁に装着される直前の図１におけるＩＶ−ＩＶ線断面図、図４Ｂは、本実施形態に係る防水シートが側壁に装着された状態の図１におけるＩＶ−ＩＶ線断面図である。
【図５】本実施形態の変形例に係るシート式浸水防止装置において、防水シートが装着された状態の斜視図である。
【図６】防水シートの変形例の斜視図である。
【発明を実施するための形態】
【００２１】
以下、本発明の実施形態について図面を参照して説明する。
【００２２】
＜シート式浸水防止装置６０の構成の説明＞
図１は、本実施形態に係るシート式浸水防止装置６０において、防水シート６６が装着された状態の斜視図である。図２は、本実施形態に係るシート式浸水防止装置６０において、防水シート６６が装着されていない状態の斜視図である。図３は、本実施形態に係る防水シート６６の斜視図である。図４Ａは、本実施形態に係る防水シート６６が側壁２２ａ、２２ｂに装着される直前の図１におけるＩＶ−ＩＶ線断面図である。図４Ｂは、本実施形態に係る防水シート６６が側壁２２ａ、２２ｂに装着された状態の図１におけるＩＶ−ＩＶ線断面図である。
【００２３】
シート式浸水防止装置６０は、建造物の出入り口１２に設置される。出入り口１２は、開閉するドア１４ａ、１４ｂを備える。シート式浸水防止装置６０は、取付部６２、収納部６４及び防水シート６６を備える。なお、防水シート６６は、作業を容易にするため、軽量であることが望ましい。
【００２４】
取付部６２は、戸当金物６８、パイプ受台７２ａ、７２ｂ、磁石７４及びピン７６を備える。磁石７４は、戸当金物６８により表面が被覆されて保持される。取付部６２は、取付部６２ａ〜６２ｃで構成される。取付部６２ａは、出入り口１２の一方の側壁２２ａの前面に沿って上下方向に延在する。取付部６２ｂは、出入り口１２の他方の側壁２２ｂの前面に沿って上下方向に延在する。取付部６２ｃは、側壁２２ａの下端部前面と、側壁２２ｂの下端部前面との間で横方向に延在する。側壁２２ａ、２２ｂ間には、通路２４が配置される。
【００２５】
戸当金物６８は、略コ字形状に形成される。戸当金物６８は、取付部６２ａから下部の取付部６２ｃを介して取付部６２ｂに延在する。戸当金物６８は、戸当金物６８ａ〜６８ｃで構成される。戸当金物６８ａは、取付部６２ａに配置され、戸当金物６８ｂは、取付部６２ｂに配置され、戸当金物６８ｃは、取付部６２ｃに配置される。各戸当金物６８ａ〜６８ｃは、図４Ａ、図４Ｂに示されるように、ベース部材７８、磁石保持部材８０及び磁石カバー８２を備える。ベース部材７８は、側壁２２ａ、２２ｂ、及び、収納部６４の鉛直面６４ａに固定される。磁石保持部材８０は、ベース部材７８に固定される。磁石７４は、磁石保持部材８０に保持される。また、磁石保持部材８０には、複数のピン７６が固定される。磁石７４の表面は、磁石カバー８２によって被覆される。各ピン７６は、磁石カバー８２から突出する。
【００２６】
パイプ受台７２ａ、７２ｂは、戸当金物６８ａ、６８ｂの上端部に配置される。パイプ受台７２ａ、７２ｂには、防水シート６６のパイプ７０が係合される。取付部６２に保持される磁石７４は、略コ字形状に形成される。磁石７４は、戸当金物６８に沿って延在する。戸当金物６８は、外部に対する磁石７４の磁力を低下させない透磁率の低い材料、例えば、ＳＵＳ、Ｃｕ、Ａｌ、プラスチック等で形成される。
【００２７】
各戸当金物６８ａ〜６８ｃには、取付部カバー８４ａ〜８４ｃが装着される。取付部カバー８４ａ〜８４ｃは、２つのヒンジ８６を介して戸当金物６８ａ〜６８ｃに連結される。取付部カバー８４ａ〜８４ｃの戸当金物６８ａ〜６８ｃ側の部位には、磁石７４に吸引される磁性体８８ａ〜８８ｃが配置される。従って、磁性体８８ａ〜８８ｃは、ヒンジ８６を介して取付部６２ａ〜６２ｃに連結される。磁性体８８ａ〜８８ｃは、戸当金物６８ａ〜６８ｃの磁石７４の位置に対応して配置され、防水シート６６を介して磁石７４に着脱可能である。また、取付部カバー８４ａ〜８４ｃの戸当金物６８ａ〜６８ｃ側の部位には、磁性体８８ａ〜８８ｃと平行に、支持体９０ａ〜９０ｃが配置される。
【００２８】
収納部６４は、取付部６２ａの下端部前面と取付部６２ｂの下端部前面との間に配置される凹部である。収納部６４には、防水シート６６が折り畳まれた状態で収納される。収納部６４は、蓋４０を有する。蓋４０は、図示しないヒンジを介して収納部６４に取り付けられ、又は、収納部６４に着脱自在に取り付けられる。収納部６４の通路２４側の内壁面である鉛直面６４ａには、取付部６２ｃが配置される。
【００２９】
防水シート６６の上端部９２には、パイプ７０が配置される。また、防水シート６６の側部９４ａ、９４ｂ及び下端部９４ｃには、取付部６２に配置される各ピン７６が係合する複数の孔部９６が形成される。側部９４ａ、９４ｂは、上下方向に分割された複数の補強板９８ａ、９８ｂにより両面から補強される。従って、防水シート６６は、上下方向に折り畳むことができる。また、下端部９４ｃは、水平方向に延在する１枚の補強板１００ａ、１００ｂにより両面から補強される。補強板９８ａ、９８ｂ、１００ａ、１００ｂは、例えば、ＳＵＳ等で形成される。
【００３０】
＜シート式浸水防止装置６０の使用に関する説明＞
シート式浸水防止装置６０の防水シート６６が出入り口１２に装着される場合について説明する。作業者は、収納部６４の蓋４０を開け、折り畳んだ状態で収納されている防水シート６６を取り出す。この場合、収納部６４は、取付部６２ａ、６２ｂの下端部間の取付部６２ｃに配置されている。従って、作業者は、収納部６４に収納されている防水シート６６の装着作業を迅速に開始できる。
【００３１】
防水シート６６の上端部９２に配置されているパイプ７０の両端は、取付部６２ａ、６２ｂの上端のパイプ受台７２ａ、７２ｂに係合される。防水シート６６は、側壁２２ａ、２２ｂ間につり下げられた状態とされる。なお、この時点では、取付部６２の戸当金物６８と防水シート６６とは、図４Ａに示すように、離間しているものとする。
【００３２】
次に、防水シート６６の側部９４ａ、９４ｂ及び下端部９４ｃに配置されている孔部９６は、取付部６２に配置されている各ピン７６に係合される。次いで、取付部カバー８４ａ〜８４ｃは、図４Ａの状態からヒンジ８６を介して矢印方向に旋回され、防水シート６６を介して戸当金物６８に装着される（図４Ｂ）。
【００３３】
次いで、取付部カバー８４ａ〜８４ｃに配置されている磁性体８８ａ〜８８ｃは、戸当金物６８に収容されている磁石７４に吸引される。この場合、磁石７４は、透磁率の低い材料から形成される戸当金物６８に収容されている。そのため、磁石７４による磁性体８８ａ〜８８ｃの吸引力は、低減しない。また、磁石７４は、磁石保持部材８０により保持され、表面が磁石カバー８２によって被覆されている。そのため、防水シート６６は、表面に凹凸のある磁石７４に直接吸着されるのではなく、平滑度を極めて高く形成できる磁石カバー８２を介して吸引される。従って、防水シート６６の側部９４ａ、９４ｂ及び下端部９４ｃは、磁石カバー８２を介してきわめて高い水密性を確保した状態で戸当金物６８に装着される。なお、磁石７４は、戸当金物６８によって被覆されているため、錆や欠損のおそれもない。従って、磁石７４の交換等のメンテナンスは不要である。また、磁石７４は、磁石保持部材８０により保持されるため、ボルト等の固定部材を用いることなく、戸当金物６８に容易に固定できる。
【００３４】
また、防水シート６６は、側部９４ａ、９４ｂ及び下端部９４ｃが両面から補強板９８ａ、９８ｂ、１００ａ、１００ｂによって挟み込まれている。そのため、側部９４ａ、９４ｂ及び下端部９４ｃの強度は、十分に確保される。さらに、防水シート６６の側部９４ａ、９４ｂ及び下端部９４ｃには、取付部カバー８４ａ〜８４ｃに配置されている支持体９０ａ〜９０ｃが当接される。従って、防水シート６６は、ピン７６から脱落することがなく、係合状態が確実に確保される。このようにして、防水シート６６の装着作業は、容易且つ短時間で終了する。
【００３５】
次に、防水シート６６が、取り外される場合について説明する。作業者は、図４Ｂの状態からヒンジ８６を介して取付部カバー８４ａ〜８４ｃを旋回させ、磁性体８８ａ〜８８ｃを磁石７４から離間させる。次いで、作業者は、パイプ７０を把持し、防水シート６６を出入り口１２から離間する方向に移動させる。その後、ピン７６は、防水シート６６の孔部９６から抜き取られる。このようにして、防水シート６６は、容易且つ短時間で取り外される。
【００３６】
防水シート６６が取り外された後、取付部カバー８４ａ〜８４ｃは、再びヒンジ８６を介して旋回され、磁性体８８ａ〜８８ｃが戸当金物６８に収容されている磁石７４に吸引される。
【００３７】
この場合、磁石７４の磁気は、磁性体８８ａ〜８８ｃによって低減される。そのため、磁石７４の磁気の取付部６２の外部への漏洩が低減される。従って、シート式浸水防止装置６０が使用されない状態において、周囲の電子機器は、磁気の影響から好適に保護される。また、戸当金物６８から突出するピン７６は、取付部カバー８４ａ〜８４ｃによって覆われるため、美観が向上される。
【００３８】
取付部６２から取り外された防水シート６６は、上下方向に折り畳まれ、収納部６４に収納される。その後、収納部６４の蓋４０が閉塞される。この場合、補強板９８ａ、９８ｂは、防水シート６６の上下方向に複数に分割されている。従って、防水シート６６は、補強板９８ａ、９８ｂの間で上下方向に容易に折り畳まれる。
【００３９】
図５は、本実施形態の変形例に係るシート式浸水防止装置１０２において、防水シート６６が装着された状態の斜視図である。取付部カバー８４ａ〜８４ｃは、戸当金物６８に対して一体でも分離別体でもよい。シート式浸水防止装置６０とシート式浸水防止装置１０２との相違点は、取付部カバー８４ａ〜８４ｃが戸当金物６８に対して分離別体である点である。従って、取付部カバー８４ａ〜８４ｃに保持された磁性体８８ａ〜８８ｃは、取付部６２及び防水シート６６から分離別体である。取付部カバー８４ａ〜８４ｃを分離別体とすることにより、シート式浸水防止装置１０２は、構成が簡便になる。シート式浸水防止装置１０２のその他の構成は、シート式浸水防止装置６０と同様である。
【００４０】
シート式浸水防止装置１０２において、防水シート６６が装着される場合、防水シート６６の孔部９６が、ピン７６に係合される。その後、取付部カバー８４ａ〜８４ｃは、防水シート６６を介して取付部６２に装着される。取付部カバー８４ａ〜８４ｃに配置された磁性体８８ａ〜８８ｃは、取付部６２の磁石７４に防水シート６６を介して吸引される。そのため、取付部６２からの取付部カバー８４の脱落を防ぐことができる。
【００４１】
また、防水シート６６が取り外された場合、取付部カバー８４ａ〜８４ｃは、取付部６２に直接装着される。従って、取付部カバー８４ａ〜８４ｃに配置された磁性体８８ａ〜８８ｃは、シート式浸水防止装置６０の場合と同様に、磁石７４の磁気の外部への漏洩が低減される。また、ピン７６は、取付部カバー８４ａ〜８４ｃによって覆われるため、美観が向上される。
【００４２】
図６は、防水シート１０４の変形例の斜視図である。防水シート６６と防水シート１０４との相違点は、略コ字形状の磁性体１０６が防水シート１０４の周縁部に一体に設けられている点である。
【００４３】
防水シート１０４の孔部９６は、取付部６２のピン７６に係合される。そして、防水シート１０４の周縁部に設けられている磁性体１０６は、戸当金物６８に収容されている磁石７４に吸引され、防水シート１０４が取付部６２に固定される。このように構成される防水シート１０４が用いられることにより、防水シート１０４は、取付部カバー８４ａ〜８４ｃを用いることなく、取付部６２に装着される。また、防水シート１０４は、磁性体１０６が周縁部に設けられることにより、防水シート１０４の周縁部の強度が確保される。
【００４４】
なお、本発明は、上述した実施の形態に限定されるものではなく、本発明の主旨を逸脱しない範囲で変更することが可能である。
【００４５】
本実施形態では、取付部６２は、側壁２２ａ、２２ｂの前面及び収納部６４の鉛直面６４ａに配置されているが、出入り口１２を閉塞できるのであれば、本発明は、これに限定されるものではない。例えば、取付部６２は、ドア１４ａ、１４ｂの両側を側壁とし、これらの側壁の前面及びドア１４ａ、１４ｂの下に配置されてもよい。
【００４６】
また、本実施形態では、防水シート６６、１０４は、取付部６２に対して側部及び下端部を着脱自在としたが、防水シート６６、１０４による水密性を確保できるのであれば、本発明は、これに限定されるものではない。例えば、防水シート６６、１０４の下端部は、ボルトで取付部６２ｃに固定され、側部を着脱自在としてもよい。
【００４７】
また、本実施形態では、防水シート６６、１０４の孔部９６にピン７６が係合されているが、防水シート６６、１０４を取付部６２に係合できるのであれば、係合手段は、これに限定されるものではない。例えば、係合手段は、孔部を取付部６２に形成し、防水シート６６、１０４に配置されたピンを前記孔部に係合させてもよい。また、係合手段は、取付部６２に係合手段としてのクランプ部材を配置し、クランプ部材により防水シート６６、１０４の側部及び下端部をクランプさせてもよい。
【００４８】
また、本実施形態では、ピン７６は、取付部６２に配置され、孔部９６は、防水シート６６、１０４の側部及び下端部に配置されているが、防水シート６６、１０４を取付部６２に係合できるのであれば、係合手段の配置は、これに限定されるものではない。例えば、ピン７６は、取付部６２ａ〜６２ｃの少なくとも１つに配置されていればよい。また、かかる場合には、孔部９６は、ピン７６に対応した防水シート６６、１０４の所定位置に配置される。
【００４９】
また、本実施形態では、防水シート６６、１０４は、側壁２２ａ、２２ｂの前面の下端部間の収納部６４に収納させるものとしたが、防水シート６６、１０４の収納場所は収納部６４に限定されるものではない。例えば、防水シート６６、１０４は、取付部６２から取り外された後、収納部６４以外の場所に移動させて収納させてもよい。
【００５０】
また、本実施形態では、磁性体１０６は、防水シート１０４の周縁部に一体に設けられているが、防水シート１０４を取付部６２に固定できれば、磁性体１０６は、防水シート１０４の周縁部に一体に設けられていなくともよい。例えば、磁性体１０６は、防水シート１０４の周縁部に別体に設けてもよい。
【符号の説明】
【００５１】
１２…出入り口
１４ａ、１４ｂ…ドア
２２ａ、２２ｂ…側壁
２４…通路
４０…蓋
６０、１０２…シート式浸水防止装置
６２、６２ａ〜６２ｃ…取付部
６４…収納部
６４ａ…鉛直面
６６、１０４…防水シート
６８、６８ａ〜６８ｃ…戸当金物
７０…パイプ
７２ａ、７２ｂ…パイプ受台
７４…磁石
７６…ピン
７８…ベース部材
８０…磁石保持部材
８２…磁石カバー
８４ａ〜８４ｃ…取付部カバー
８６…ヒンジ
８８ａ〜８８ｃ、１０６…磁性体
９０ａ〜９０ｃ…支持体
９２…上端部
９４ａ、９４ｂ…側部
９４ｃ…下端部
９６…孔部
９８ａ、９８ｂ、１００ａ、１００ｂ…補強板
【図１】
2016205031.tif 000003
【図２】
2016205031.tif 000004
【図３】
2016205031.tif 000005
【図４】
2016205031.tif 000006
【図５】
2016205031.tif 000007
【図６】
2016205031.tif 000008